(57)【要約】【課題】小型の撮像装置を提供する。【解決手段】非撮影時に、光軸を折り曲げる屈曲部と撮像レンズと撮像素子とを有する光学ユニットを短縮させ、光学ユニットを短縮させて生じた空間にフラッシュユニットなどの機能ユニットを収納することを特徴とする撮像装置。【選択図】図３
2007135050.tif 000002
【特許請求の範囲】
【請求項１】
撮像対象光が入射する第１の光軸を略直角である第２の光軸方向に折り曲げる屈曲部と前記屈曲部からの光を撮像素子に結像させる撮像レンズとを有する光学ユニットと、
前記光学ユニットを内部に保持する筐体と
撮像時に前記筐体から突出する機能ユニットと、
非撮像時に、前記屈曲部と前記撮像素子との間隔を短縮させて、前記機能ユニットを収納する空間を形成する作動機構とを有することを特徴とする撮像装置。
【請求項２】
前記作動機構は、前記屈曲部を移動させ、前記屈曲部が移動して形成された空間に機能ユニットを収納することを特徴とする請求項１に記載の撮像装置。
【請求項３】
前記撮像レンズは、複数のレンズ群を有し、変倍時に前記レンズ群の間隔を変えることを特徴とする請求項１または２に記載の撮像装置。
【請求項４】
前記撮像レンズは、変倍時に前記屈曲部と前記撮像素子との間隔を変えることを特徴とする請求項１または２に記載の撮像装置。
【請求項５】
前記機能ユニットはフラッシュユニットであり、前記フラッシュユニットは前記撮像レンズの変倍に応じて前記第１の光軸からの距離を変えることを特徴とする請求項３または４に記載の撮像装置。
【発明の詳細な説明】
【技術分野】
【０００１】
本発明は、光を撮像素子に導く光学ユニットを有する撮像装置に関し、特に、屈曲光学ユニットを沈胴させ、フラッシュユニットなどの機能ユニットを収納する撮像装置に関するものである。
【背景技術】
【０００２】
近年、パーソナルコンピュータの普及に伴い、手軽にパーソナルコンピュータに画像を取り込めるデジタルカメラが普及している。また、モバイルコンピュータ、携帯電話、情報携帯端末（ＰＤＡ：Ｐａｒｓｏｎａｌ  Ｄｉｇｉｔａｌ  Ａｓｓｉｓｔａｎｔ）等の情報処理機器にデジタルカメラを組み込むことも一般化している。このようなデジタルカメラの普及にともない、より小型であるデジタルカメラが要望されるようになり、光学ユニットも一層小型化する必要がある。
【０００３】
そこで、光学ユニットを小型にするために、撮像レンズを光路の途中で折り曲げ、変倍しても光路長を変化させずに小型化を図る提案がされている。（特許文献１、２）これらは光路上に反射部材を設けて、光路を略９０度折り曲げた後、後続レンズ群で撮像素子上に光学像を形成させるものである。
【０００４】
また、明るさの乏しい被写体を撮像するには、撮像タイミングに同期させて被写体を照明するフラッシュ装置が必要になる。フラッシュ装置を搭載するデジタルカメラにおいても、小型化を図るために、非撮影時に光学ユニットの屈曲部の被写体側とは反対部分にフラッシュユニットを収納し、撮影時に筐体外に突出する構成が提案されている。（特許文献３）
【特許文献１】特開２０００−１３１６１０号公報
【特許文献２】特開２００４−６９８０８号公報
【特許文献３】特開平１１−６４９３２号公報
【発明の開示】
【発明が解決しようとする課題】
【０００５】
ところが、特許文献３においては、非撮像時に屈曲部の被写体側とは反対部分、つまり屈曲部にある反射面の裏側の空間にフラッシュ装置を収納しているが、発光量が大きい発光体を有するフラッシュ装置では前記の空間に収納することが難しい。また、フラッシュ装置以外の光学ファインダなどの大きい機能ユニットを収納するには一層難しくなる。
【０００６】
本発明はこのような問題点に鑑みてなされたもので、非撮像時、簡単な機構で光学ユニットを沈胴させて機能ユニットを収納する小型の撮像装置を提供することを目的とする。
【課題を解決するための手段】
【０００７】
上記の課題は次の構成により解決される。
【０００８】
１．  撮像対象光が入射する第１の光軸を略直角である第２の光軸方向に折り曲げる屈曲部と前記屈曲部からの光を撮像素子に結像させる撮像レンズとを有する光学ユニットと、
前記光学ユニットを内部に保持する筐体と
撮像時に前記筐体から突出する機能ユニットと、
非撮像時に、前記屈曲部と前記撮像素子との間隔を短縮させて、前記機能ユニットを収納する空間を形成する作動機構とを有することを特徴とする撮像装置。
【０００９】
２．  前記作動機構は、前記屈曲部を移動させ、前記屈曲部が移動して形成された空間に機能ユニットを収納することを特徴とする１に記載の撮像装置。
【００１０】
３．  前記撮像レンズは、複数のレンズ群を有し、変倍時に前記レンズ群の間隔を変えることを特徴とする１または２に記載の撮像装置。
【００１１】
４．  前記撮像レンズは、変倍時に前記屈曲部と前記撮像素子との間隔を変えることを特徴とする１または２に記載の撮像装置。
【００１２】
５．  前記機能ユニットはフラッシュユニットであり、前記フラッシュユニットは前記撮像レンズの変倍に応じて前記第１の光軸からの距離を変えることを特徴とする３または４に記載の撮像装置。
【発明の効果】
【００１３】
本発明によれば、非撮影時に、光軸を折り曲げる屈曲部と撮像レンズと撮像素子とを有する光学ユニットを短縮させ、光学ユニットを短縮させて生じた空間にフラッシュユニットなどの機能ユニットを収納することにより、簡単な短縮・収納機構で、小型の撮像装置を提供することができる。
【発明を実施するための最良の形態】
【００１４】
以下、本発明の第１実施形態について図面を参照しながら説明する。デジタルカメラ１の外観を図１に模式的に示す。図１において、（ａ）は平面図、（ｂ）は背面図であり、点線部は後述するデジタルカメラ１の内部にある光学ユニット７０を表している。
【００１５】
デジタルカメラ１は、概ね直方体状の筐体１０を有しており、通常の撮像時には筐体１０の最も短い辺の方向である、図１の紙面に垂直な方向を奥行き方向、図１の左右方向を横方向、図１の上下方向を縦方向と定める。
【００１６】
デジタルカメラ１は、前面に対物窓１１、セルフタイマーランプ１４、背面に表示部１５、モード設定スイッチ１６、十字キー１７、複数の操作キー１８、上面にフラッシュユニット１３、レリーズボタン１９、電源ボタン２０を備えている。
【００１７】
対物窓１１は、筐体１０の内部に撮像対象からの光を導入し、撮像対象光を光学ユニット７０内の撮像レンズに入射させる。
【００１８】
フラッシュユニット１３は、撮像時に筐体１０から外部に突出し、撮像対象を照明するフラッシュ光を発する。セルフタイマーランプ１４は、セルフタイマー撮像の準備が進行中であることを点灯により示す。
【００１９】
表示部１５は、液晶表示器から成り、撮像した画像のほか、デジタルカメラ１の設定状況、操作案内等の諸情報を表示する。モード設定スイッチ１６は、スライド式であり、デジタルカメラ１の動作モードの設定に用いられる。
【００２０】
十字キー１７は、上下左右に４つの接点を有しており、表示部１５に表示されるカーソルの移動に用いられる。デジタルカメラ１は、光学ユニットとしてズームレンズを備えており、十字キー１７はその焦点距離の調節にも使用される。操作キー１８は、表示部１５に表示する項目の切り換え、表示した項目の選択等、デジタルカメラ１の機能に関する設定に用いられる。レリーズボタン１９は２段階で動作し、記録する画像の撮像準備の指示と、記録する画像の撮像の指示に用いられる。
【００２１】
図２にデジタルカメラ１の構成を模式的に示す。デジタルカメラ１は、撮像レンズ１２および表示部１５のほか、撮像素子２８、信号処理部２２、記録部２３、操作部２４、撮像レンズ駆動部２５および制御部２６を有している。撮像素子２８はＣＣＤエリアセンサであり、画素ごとの受光量を表す信号を出力する。信号処理部２２は、撮像素子２８の出力信号を処理して、撮像した画像を表す画像データを生成する。記録部２３は、信号処理部２２が生成した画像データを着脱可能な記録媒体２３ａに記録し、また、画像の再生表示のために、記録媒体２３ａから画像データを読み出す。操作部２４は、前述の諸ボタン１６〜２０の総称であり、使用者が操作したボタンに関する情報を制御部２６に伝達する。
【００２２】
撮像レンズ駆動部２５は、いくつかのモータとその駆動力を撮像レンズ１２のレンズ群に伝達する伝達機構を有しており、撮像レンズ１２の所望の焦点距離と焦点位置にするためにレンズ群を駆動させる。制御部２６は操作部２４を介して与えられる指示に応じて各部を制御する。
【００２３】
図３乃至７を参照しながら、機能ユニットであるフラッシュユニット１３が筐体１０から突出する撮影可能状態からフラッシュユニット１３を収納する非撮影状態に至る構成、動作を説明する。
【００２４】
まず、図３、図４の撮像レンズの焦点距離が広角端にある構成について説明する。図３は図１（ａ）の光学ユニット７０とフラッシュユニット１３を拡大して示す平面透視図であり、また、図４は光学ユニット７０とフラッシュユニット１３を同様に拡大して示す側面透視図である。
【００２５】
図４おいて、第１の光軸７６はデジタルカメラ１の奥行き方向にあり、第２の光軸７７はデジタルカメラ１の縦方向にある。第１の光軸７６と第２の光軸７７は略直角に配置されている。
【００２６】
光学ユニット７０は、撮像対象側から順に、第１レンズ群８１、第２レンズ群８２、第３レンズ群８３、第４レンズ群８４、第５レンズ群８５からなる撮像レンズ１２と、撮像対象が結像するＣＣＤエリアセンサなどの撮像素子２８を備えている。
【００２７】
第１レンズ群８１は、レンズ８１ａ、プリズム８１ｂを有し、第１保持枠７１に保持され、変倍時に撮像素子２８に対して固定され、フラッシュユニッット１３を収納する時には、第２の光軸７７の方向に移動する。
【００２８】
プリズム８１ｂは、断面が直角二等辺三角形の三角プリズムであり、互いに直交する２つの面の一方の面から撮像光が入射し、他方の面から光が射出し、２つの面の間にある斜面が、第１の光軸７６と第２の光軸７７との交点上に位置し、かつ、第１の光軸７６と第２の光軸７７に対して４５°を成すように配置され、第１の光軸７６を第２の光軸７７の方向に略直角に折り曲げる。
【００２９】
第２レンズ群８２、第４レンズ群８４は、各々第２保持枠７２、第４保持枠７４に撮像素子２８に対して移動可能に保持され、移動することにより撮像レンズ１２を変倍させる。
【００３０】
第３レンズ群８３と第５レンズ群８５は各々第３保持枠７３、第５保持枠７５に保持され、第３保持枠７３、第５保持枠７５は、光学ユニット７０に固定され、撮像素子２８に対して固定されている。
【００３１】
図３に示すシャッタユニット５０は、撮像対象からの光を遮断して撮像素子２８の露光を制御し、第３レンズ８３の撮像対象側に設けられ、光学ユニット７０に固定保持されている。
【００３２】
次に、撮像レンズの変倍を行う第２保持枠７２、第４保持枠７４の移動機構の構成を説明する。
【００３３】
まず、第２保持部材７２の移動機構について説明する。ガイド軸３２ｂは、その端部が光学ユニット７０とシャッタユニット５０に固定され、第２保持枠７２の光軸方向への移動を案内する。
【００３４】
駆動軸３２ｄは、ガイド軸３２ｂと平行であり、モータ４２の回転軸と結合し、その外周面に螺旋状のねじが形成され、第２保持枠７２の係合部３２ｃのねじに螺合している。
【００３５】
第２保持部材７２は、ガイド軸３２ｂに嵌合する摺動ガイド部３２ａが設けられ、第２保持部材７２が摺動時に傾かないように嵌合し、図示しない直進ガイドにより第２保持部材７２が回転しない構成になっている。
【００３６】
第２保持部材７２は、モータ４２の駆動軸３２ｄに螺合する係合部３２ｃが設けられ、駆動軸３２ｄが回転すると、図示しない直進ガイド部との連係により、第２保持部材７２が光軸方向に直進移動する。
【００３７】
次に、第４保持枠７４について説明する。ガイド軸３４ｂは、その端部が光学ユニット７０とシャッタユニット５０に固定され、第４保持枠７４の光軸方向への移動を案内する。
【００３８】
駆動軸３４ｄは、ガイド軸３４ｂと平行であり、モータ４４の回転軸と結合し、その外周面に螺旋状のねじが形成され、第４保持枠７４の係合部３４ｃのねじに螺合している。
【００３９】
第４保持部材７４は、ガイド軸３４ｂに嵌合する摺動ガイド部３４ａが設けられ、第４保持部材７４が摺動時に傾かないように嵌合し、直進ガイド３４ｅにより第４保持部材７４が回転しない構成になっている。
【００４０】
第４保持部材７４は、モータ４４の駆動軸３４ｄに螺合する係合部３４ｃが設けられ、駆動軸３４ｄが回転すると、直進ガイド３４ｅとの連係により、第４保持部材７４が光軸方向に直進移動する。
【００４１】
次に、非撮像時に第１保持枠７１が撮像素子２８側に退避し、フラッシュユニット１３が退避して生じた空間に収納される機構の構成を説明する。
【００４２】
ガイド軸３１ｂは、第２保持部材７２用のガイド軸３２ｂの近傍に第２の光軸７７と平行に配置され、その端部が光学ユニット７０とシャッタユニット５０に固定され、第１保持枠７１の光軸方向への移動を案内する。
【００４３】
駆動軸３１ｄは、ガイド軸３１ｂと平行であり、モータ４１の回転軸と結合し、その外周面に螺旋状のねじが形成され、第１保持枠７１の係合部３１ｃのねじに螺合している。
【００４４】
第１保持部材７１は、ガイド軸３１ｂに嵌合する摺動ガイド部３１ａが設けられ、第１保持部材７１が摺動時に傾かないように嵌合し、直進ガイド部３１ｅが腕を介して設けられ光学ユニット７０の第２の光軸７７方向に延びた溝７０ｅに嵌り、第１保持部材７１が回転しない構成になっている。
【００４５】
第１保持部材７１は、モータ４１の駆動軸３１ｄに螺合する係合部３１ｃが設けられ、駆動軸３１ｄが回転すると、直進ガイド部３１ｅとの連係により、第１保持部材７１が第２の光軸７７の方向に直進移動する。
【００４６】
フラッシュユニット１３は、キセノン管からなる発光部１３ｂが反射傘１３ａ内に設けられ、広角端など撮像可能時には、筐体１０の外部に開口１０ａから突出して第１保持部材７１の上部において第１保持部材７１に固定保時されて、第１保持枠７１が直進移動すると、フラッシュユニット１３も同時に第２の光軸方向に移動する。
【００４７】
以上のように構成されたデジタルカメラ１において、フラッシュユニット１３を筐体１０内に収納させる動作を図５、図６に基づいて説明する。図５はフラッシュユニット１３を筐体１０内に収納した平面透視図であり、図６はその側面透視図である。
【００４８】
デジタルカメラ１が使用状態にあるときには、図３、図４に示すようにフラッシュユニット１３が筐体１０の外部に突出し、撮像レンズが所望の焦点距離に設定された位置にある。
【００４９】
次に、撮像を終了するために、使用者が電源ボタン２０のオフ操作を行うと、制御部２６は、電源の状態をオン状態からオフ状態に切換える制御を実行する。制御部２６は、第１保持枠７１を使用位置から収納位置へと移動させるための制御を行う。
【００５０】
即ち、電源ボタン２０からの信号を受けて制御部２６は、モータ４２、４４を駆動制御して、第２保持枠７２、第４保持枠７３を広角端である初期位置へと移動させる。
【００５１】
次に、制御部２６は、モータ４１を駆動制御して、駆動軸３１ｄを回転駆動させると、第１保持枠７１が第２の光軸７７に沿って撮像素子２８側に移動する。第１保持枠７１の移動に伴い、第１保持枠７１と一体であるフラッシュユニット１３が第２の光軸７７に沿って筐体１０内に移動する。
【００５２】
さらに移動して、第１保持枠７１が所定の退避位置に到着したときに、第１保持枠７１が位置検出部（不図示）により退避位置を検出されると、モータ４１を停止すべく信号が発生する。これを受けて制御部２６は、モータ４１の回転駆動を停止する制御を行う。このようにして、使用状態において筐体１０から突出していたフラッシュユニット１３は、筐体１０内に収納される。
【００５３】
なお、使用可能状態に戻して撮像レンズ１２の変倍を行うには、電源ボタン２０をオフ状態からオン状態に切換えると、制御部２６は、モータ４１を駆動制御して、第１保持枠７１を収納位置から広角端である初期位置に移動させ、また、フラッシュユニット１３を筐体１０の外部に開口１０ａから突出させる。
【００５４】
次に、十字キー１７で例えば望遠端の焦点距離を設定すると、十字キー１７からの信号を受けて制御部２６は、モータ４２、４４を駆動制御して、第２保持枠７２、第４保持枠７４を、図７に示す望遠端の位置に移動させる。
【００５５】
以上説明したように、光軸を略直角に折り曲げる屈曲部としてのプリズム８１ｂと撮像レンズ１２と撮像素子２８とを有する光学ユニット７０において、非撮像時にプリズム８１ｂと撮像素子２８との間隔を短縮させて生じた空間にフラッシュユニット１３を収納する構成にすることにより、大型のフラッシュユニットを筐体１０内に収納することができる。
【００５６】
また、フラッシュユニット１３を光学ユニット７０の上部に配設して、非撮像時にプリズム８１ｂを移動させて、光学ユニット７０を短縮させ、短縮させて生じた空間にフラッシュユニット１３を収納する構成にすることにより、非撮影時にフラッシュユニット１３が対物窓１１に対向する位置に至り対物窓１１を閉じ、対物窓１１にレンズバリアを設けなくとも、撮像レンズ１２にゴミなどが付着することを防ぐ。
【００５７】
つぎに、第２実施形態について図８乃至１１に基づいて説明する。
【００５８】
第２実施形態は、非撮像時にフラッシュユニットを筐体内に収納し、撮像可能時に筐体外部に突出したフラッシュユニットを撮像レンズの変倍に応じてフラッシュユニットと撮像レンズとの距離を変え、撮像レンズの変倍時に第１レンズ群、第２レンズ群、第４レンズ群を移動させるものである。なお、第１実施形態と同じ機能の部材には同じ番号を付し、重複する説明は省略する。
【００５９】
図８、図９は、撮像レンズの広角端における平面透視図と側面透視図である。撮像レンズの変倍を行う第１保持枠７１、第２保持枠７２、第４保持枠７４の移動機構の構成は第１実施形態と同じであるが、第１保持枠７１、フラッシュユニット１３については、第１実施形態と異なり、第１保持枠７１とフラッシュユニット１３が各々独立して移動可能である構成になっている。
【００６０】
つまり、第１保持部材７１は、ガイド軸３１ｂに嵌合する摺動ガイド部３１ａが設けられ、第１保持部材７１が摺動時に傾かないように嵌合し、図示しない直進ガイドにより第１保持部材７１が回転しない構成になっている。
【００６１】
また、第１保持部材７１は、モータ４１の駆動軸３１ｄに螺合する係合部３１ｃが設けられ、駆動軸３１ｄが回転すると、図示しない直進ガイドとの連係により、第１保持部材７１が第２の光軸７７の方向に直進移動する。
【００６２】
フラッシュユニット１３は、第１保持部材７１とは別設され、広角端など撮像可能時には筐体１０の外部に開口１０ａから突出して配置され、直進ガイド部１３ｅが腕を介して設けられ光学ユニット７０に設けた第２の光軸７７方向に延びた溝７０ｅに嵌り、フラッシュユニット１３が回転しない構成になっている。また、フラッシュユニット１３は、モータ４５、モータ４５のギヤ４５と噛み合うギヤ５２が設けられ、ギヤ５２が筐体１０に設けたラック５３と噛み合う。
【００６３】
フラッシュユニット１３は、モータ４５が回転すると、ギヤ４５、５２により減速されたギヤ５２がラックに噛み合って回転し、直進ガイド部１３ｅとの連係により、フラッシュユニット１３が第２の光軸７７の方向に直進移動する。
【００６４】
以上の構成において、フラッシュユニット１３を筐体１０内に収納させる動作を図１０に基づいて、また、撮像レンズ１２を望遠端に移動させる動作を図１１に基づいて説明する。
【００６５】
撮像を終了するために、使用者が電源ボタン２０のオフ操作を行うと、電源ボタン２０からの信号を受けて制御部２６は、モータ４１、４２、４４を駆動制御して、第１保持枠７１、第２保持枠７２、第４保持枠７３を広角端である初期位置へと移動させる。
【００６６】
次に、制御部２６は、モータ４１を駆動制御して、第１保持枠７１を第２の光軸７７に沿って撮像素子２８側に移動させ、第１保持枠７１が所定の退避位置に到着したときに、第１保持枠７１が位置検出部（不図示）により退避位置を検出されると、モータ４１を停止すべく信号が発生する。これを受けて制御部２６は、モータ４１の回転駆動を停止する制御を行う。
【００６７】
同時に、制御部２６は、モータ４５を駆動制御して、フラッシュユニット１３を第２の光軸７７に沿って撮像素子２８側に移動させ、フラッシュユニット１３が所定の退避位置に到着したときに、フラッシュユニット１３が位置検出部（不図示）により退避位置を検出されると、モータ４５を停止すべく信号が発生する。これを受けて制御部２６は、モータ４５の回転駆動を停止する制御を行う。このようにして、撮像可能状態において筐体１０から突出していたフラッシュユニット１３は、筐体１０内に収納される。
【００６８】
なお、撮像可能状態に戻して撮像レンズ１２の変倍を行うには、電源ボタン２０をオフ状態からオン状態に切換えると、制御部２６は、モータ４１、４５を駆動制御して、第１保持枠７１を収納位置から広角端である初期位置に第２の光軸７７に沿って移動させ、また、フラッシュユニット１３を筐体１０の外部に開口１０ａから突出させる。広角端ではフラッシュユニット１３は、撮像対象光が入射する第１の光軸７６に近接した位置に停止する。
【００６９】
次に、十字キー１７で望遠端の焦点距離を設定すると、十字キー１７からの信号を受けて制御部２６は、モータ４１を駆動制御して、第１保持枠７１を撮像素子２８から離れる方向に移動させ、モータ４２、４４を駆動制御して、第２保持枠７２、第４保持枠７４を望遠端の所定の位置に移動させる。なお、同時に、制御部２６は、図９に示すモータ４５を駆動制御して、フラッシュユニット１３を撮像レンズの望遠端に対応する位置に第２の光軸７７に沿って移動させる。望遠端ではフラッシュユニット１３は、第２の光軸７７上において、広角端における停止位置より離れた位置で停止する。
【００７０】
以上により、広角から望遠に至る変倍を行うと、フラッシュユニット１３の発光部が撮像レンズ１２の入射光軸７６から遠ざける構成であるため、暗いところでフラッシュを発光させた場合、目が赤く写る赤目現象を軽減できる。
【００７１】
また、屈曲部であるプリズム８１ｂを含む第１レンズ群８１と撮像素子２８との間隔を変えて撮像レンズの変倍を行い、広角端において、第１レンズ群８１を撮像素子２８側に移動させる構成であるため、プリズム８１ｂ、プリズム８１ｂの撮像対象側のレンズ８１ａを小さくすることができ、小型の撮像装置となる。なお、第１レンズ群８１を移動させる替わりに、撮像素子２８を移動させて、撮像レンズの変倍を行うことも可能である。
【００７２】
第１、第２実施形態では、光学ユニットをデジタルカメラの縦方向に配置していたが、光学ユニットをデジタルカメラの横方向に配置してもよい。
【００７３】
光学ユニットを横方向に配置した第３実施形態について図１２に基づいて説明する。図１２は、光学ユニットを透視したデジタルカメラの斜視図であり、光学ユニット７０をデジタルカメラ１の横方向に配置し、フラッシュユニット１３を光学ユニット７０のプリズム８１ｂを含む第１レンズ群８１の上部に別設し、フラッシュユニット１３を撮像可能時に筐体１０の外部に突出し、非撮像時に筐体１０内に収納するものである。
【００７４】
撮像レンズの変倍を行う移動機構の構成、フラッシュユニット１３の筐体１０からの突出・収納を行う上下移動の構成は、第２実施形態と同じであるが、プリズム８１ｂを移動させる作動機構は、第２実施形態のモータ４１、直進機構を略９０度転換して横置きに配置させた構成にすることで可能である。
【００７５】
フラッシュユニット１３を収納させるには、使用者が電源ボタン２０のオフ操作を行うと、ズーム駆動モータ４２、４４を駆動制御して、撮像レンズを広角端である初期位置へと移動させて停止し、モータ４１の回転によりプリズム８１ｂを撮像素子２８側に移動させて停止し、フラッシュユニット駆動モータ４５を駆動制御して、フラッシュユニット１３を図１２の下側に移動させ光学ユニット７０を短縮させて生じた空間に収納する。
【００７６】
また、光学ユニットをデジタルカメラの横方向に配置して、フラッシュユニットを撮像素子の上部に配置し、撮像可能時にフラッシュユニットを筐体の外部に突出させ、非撮像時に撮像素子を移動させて、撮像素子が移動して生じた空間にフラッシュユニットを収納することも可能である。
【００７７】
なお、機能ユニットとして、フラッシュユニット以外に光学ファインダでも可能である。
【図面の簡単な説明】
【００７８】
【図１】本発明の第１実施形態のデジタルカメラの外観を模式的に示す平面図（ａ）および背面図（ｂ）。
【図２】本発明の第１実施形態のデジタルカメラの構成を模式的に示す図。
【図３】本発明の第１実施形態のデジタルカメラの広角状態を示す平面透視図。
【図４】本発明の第１実施形態のデジタルカメラの広角状態を示す側面透視図。
【図５】本発明の第１実施形態のデジタルカメラの沈胴状態を示す平面透視図。
【図６】本発明の第１実施形態のデジタルカメラの沈胴状態を示す側面透視図。
【図７】本発明の第１実施形態のデジタルカメラの望遠状態を示す平面透視図。
【図８】本発明の第２実施形態のデジタルカメラの広角状態を示す平面透視図。
【図９】本発明の第２実施形態のデジタルカメラの広角状態を示す側面透視図。
【図１０】本発明の第２実施形態のデジタルカメラの沈胴状態を示す平面透視図。
【図１１】本発明の第２実施形態のデジタルカメラの望遠状態を示す平面透視図。
【図１２】本発明の第３実施形態のデジタルカメラの斜視図。
【符号の説明】
【００７９】
１  デジタルカメラ
１０  筐体
１１  対物窓
１２  撮像レンズ
１３  フラッシュユニット
１５  表示部
１９  レリーズボタン
２０  電源ボタン
２８  撮像素子
３１ｂ、３２ｂ、３４ｂ  ガイド軸
４２、４３、４４、４５  モータ
３１ｄ、３２ｄ、３４ｄ  駆動軸
５０  シャッタユニット
５１、５２  ギヤ
５３  ラック
７０  光学ユニット
７１  第１保持枠
７２  第２保持枠
７３  第３保持枠
７４  第４保持枠
７５  第５保持枠
７６  第１光軸
７７  第２光軸
８１  第１レンズ群
８１ａ  第１レンズ群レンズ
８１ｂ  プリズム
８２  第２レンズ群
８３  第３レンズ群
８４  第４レンズ群
８５  第５レンズ群
【図１】
2007135050.tif 000003
【図２】
2007135050.tif 000004
【図３】
2007135050.tif 000005
【図４】
2007135050.tif 000006
【図５】
2007135050.tif 000007
【図６】
2007135050.tif 000008
【図７】
2007135050.tif 000009
【図８】
2007135050.tif 000010
【図９】
2007135050.tif 000011
【図１０】
2007135050.tif 000012
【図１１】
2007135050.tif 000013
【図１２】
2007135050.tif 000014